(57)【要約】【課題】  回路基板を介して電子部品をＦＰＣ基板に実装した場合でも、コストの低減を図ることのできる実装構造体、電気光学装置、およびこの電気光学装置を備えた電子機器を提供することにある。【解決手段】  電気光学装置１において、複数の電子部品５を回路基板３０にまとめて実装し、この回路基板３０を片面基板からなるの第２のＦＰＣ基板４０に実装する。また、第２のＦＰＣ基板４０を両面基板からなる第１のＦＰＣ基板２０に接続し、第１のＦＰＣ基板２０を素子基板１１１に接続する。そして、第１のＦＰＣ基板２０を折り曲げる際、第２のＦＰＣ基板４０を曲げて回路基板３０を第１のＦＰＣ基板２０の折り曲げ部分２００の内側に配置する。【選択図】    図２
2005228870.tif 000002
【特許請求の範囲】
【請求項１】
第１の配線基板と、
該第１の配線基板が接続された被実装体と、
前記第１の配線基板に接続された第２の配線基板と、
電子部品が実装され、前記第２の配線基板に実装されて当該第２の配線基板および前記第１の配線基板を介して前記被実装体に電気的に接続された回路基板とを有し、
前記第２の配線基板は、前記第１の配線基板から張り出しており前記回路基板が実装された張り出し領域を備えていることを特徴とする実装構造体。
【請求項２】
請求項１において、前記第１の配線基板は第１のフレキシブル配線基板であり、前記第２の配線基板は第２のフレキシブル配線基板であることを特徴とする電気光学装置。
【請求項３】
請求項２において、前記回路基板は、剛性基板であることを特徴とする実装構造体。
【請求項４】
請求項２または３において、前記第２のフレキシブル配線基板は、前記第１のフレキシブル配線基板の側端縁にその端部が接続されていることを特徴とする実装構造体。
【請求項５】
請求項４において、前記回路基板は、細長く延びた略矩形の平面形状を有し、
前記第２のフレキシブル配線基板は、前記回路基板の短辺方向の幅寸法より広い幅寸法をもって前記第１のフレキシブル配線基板に接続された接続部を有していることを特徴とする実装構造体。
【請求項６】
請求項５において、前記第２のフレキシブル配線基板は、前記回路基板が実装される回路基板実装部を備え、前記回路基板実装部と前記接続部が直線的に並んだ平面形状を有していることを特徴とする実装構造体。
【請求項７】
請求項５において、前記第２のフレキシブル配線基板は、前記回路基板が実装される回路基板実装部を備え、前記回路基板実装部と前記接続部との間に屈曲した平面形状を備えた屈曲部を有していることを特徴とする実装構造体。
【請求項８】
請求項４ないし７のいずれかにおいて、前記第１のフレキシブル配線基板は、前記被実装体の方に折り曲げられ、
前記第２のフレキシブル配線基板は、前記回路基板が前記第１のフレキシブル配線基板の折り曲げ部分の前記被実装体側に位置するように曲げられていることを特徴とする実装構造体。
【請求項９】
請求項１ないし８のいずれかに規定する実装構造体を備えた電気光学装置であって、前記被実装体は、電気光学物質を保持する電気光学装置用基板であることを特徴とする電気光学装置。
【請求項１０】
請求項９に規定する電気光学装置を有することを特徴とする電子機器。
【発明の詳細な説明】
【技術分野】
【０００１】
本発明は、電気光学装置用基板などの被実装体にフレキシブル配線基板（以下、ＦＰＣ（Ｆｌｅｘｉｂｌｅ  Ｐｒｉｎｔｅｄ  Ｃｉｒｃｕｉｔ）基板という）などが接続された実装構造体、電気光学装置、およびこの電気を備えた電子機器に関するものである。
【背景技術】
【０００２】
液晶装置や有機エレクトロルミネッセンス表示装置などの電気光学装置では、多数のデータ線と多数の走査線との各交点に相当する位置に画素が形成されており、データ線および走査線を介して各画素に所定の信号を供給して各画素の駆動を行う。このため、電気光学装置では、電気光学装置用基板にＦＰＣ基板が接続され、このＦＰＣ基板を介して各種信号が電気光学装置用基板に入力される。
【０００３】
ここで、ＦＰＣ基板に電源ＩＣや制御用ＩＣなどの電子部品を実装しておく構成が案出されている(例えば、特許文献１参照)。
【特許文献１】特開２００２−２９９７７３号公報
【発明の開示】
【発明が解決しようとする課題】
【０００４】
しかしながら、上記特許文献１に開示された電気光学装置では、ＦＰＣ基板上に複数の電子部品を実装する必要があるため、実装工程に多大な手間がかかり、作業効率が低いという問題点がある。また、電子部品は、ＦＰＣ基板上の様々な位置に実装されているため、ＦＰＣ基板が接続された電気光学装置用基板をケース内に組み込む際、ケース内の各箇所に複数の電子部品を個々、配置するためのスペースを分散して確保する必要があるので、デッドスペースが大きくなるという問題点がある。
【０００５】
そこで、本願出願人は、図４に示すように、複数の電子部品５Ｘをガラス−エポキシ基板などといった回路基板３０Ｘに実装した後、この回路基板３０Ｘを両面のＦＰＣ基板２０Ｘに実装し、しかる後に、ＦＰＣ基板２０Ｘを電気光学パネル１０Ｘに接続した構成を案出した。また、ＦＰＣ基板２０Ｘに凸部２５を設け、この凸部２５上に回路基板３０Ｘを実装する構成を案出した。このように構成すれば、ハンダリフロー方式を利用して複数の電子部品５Ｘを回路基板３０Ｘに効率よく実装でき、かつ、電気光学パネル１０Ｘをケース内に組み込む際、回路基板３０Ｘを収納する箇所に複数の電子部品５Ｘを配置するスペースをまとめて確保すればよいという利点がある。また、電気光学パネル１０Ｘをケース内に組み込む際、通常は、ＦＰＣ基板２０Ｘを矢印Ｒで示すように折り曲げるので、凸部２５を折り曲げれば、ＦＰＣ基板２０Ｘの内側に回路基板３０Ｘを収納できるという利点もある。
【０００６】
ここで、ＦＰＣ基板２０Ｘは、大判のＦＰＣ基板から切り出すため、大判のＦＰＣ基板からの取り数によってＦＰＣ基板２０Ｘの価格が定まる。従って、図４に示すような構造を採用すると、ＦＰＣ基板２０Ｘに凸部２５がある分、大判のＦＰＣ基板からの取り数が減るので、コスト高になるという問題点がある。なお、ＦＰＣ基板に凸部を設けず、回路基板の端子部を直接にＦＰＣ基板に接続させることも考えられるが、回路基板をまげて収納できないという問題がある。
【０００７】
以上の問題点に鑑みて、本発明の課題は、回路基板を介して電子部品をＦＰＣ基板に実装した場合でも、コストの低減を図ることのできる実装構造体、電気光学装置、およびこの電気光学装置を備えた電子機器を提供することにある。
【課題を解決するための手段】
【０００８】
上記課題を解決するために、本発明に係る実装構造体では、第１の配線基板と、該第１の配線基板が接続された被実装体と、前記第１の配線基板に接続された第２の配線基板と、電子部品が実装され、前記第２の配線基板に実装されて当該第２の配線基板および前記第１の配線基板を介して前記被実装体に電気的に接続された回路基板とを有し、前記第２の配線基板は、前記第１の配線基板から張り出しており前記回路基板が実装された張り出し領域を備えていることを特徴とする。
【０００９】
本発明では、複数の電子部品をガラス−エポキシ基板などといった回路基板に実装した後、この回路基板を第２の配線基板を介して第１の配線基板に実装してあるので、複数の電子部品の実装にハンダリフロー方式を利用でき、実装工程における作業効率が向上する。また、電子部品が回路基板上に集約されているので、実装構造体をケース内に組み込む際、回路基板を収納する箇所に複数の電子部品を配置するスペースをまとめて確保すればよく、ケース内の様々な箇所に個々の電子部品を収納するスペースを確保する必要がない。また、配線基板に回路基板実装用の凸部を形成した場合と違って、回路基板が実装された第２の配線基板を第１の配線基板に接続した構成であるため、第１の配線基板に凸部がない。従って、第１の配線基板を製造する際、大判の配線基板からの取り数が多いので、第１の配線基板として両面基板を用いた場合でも、第２の配線基板の方は安価なもので済む。さらに、第２の配線基板はあくまで中継用であり、第１の配線基板との接続、および回路基板の実装のいずれをも一方面側で行う。このため、第２の配線基板については安価な片面基板を用いればよい。
【００１０】
本発明において、前記第１の配線基板は第１のＦＰＣ基板であり、前記第２の配線基板は第２のＦＰＣ基板であることが好ましい。被実装体としては、ガラス基板などが考えられるが、ガラス基板に接続される基板として剛性基板を用いると接続強度が弱くなってしまうという問題がある。その点、被実装体にＦＰＣ基板を接続すれば接続強度は剛性基板に比較して強くなるという利点がある。また、ＦＰＣ基板であれば、ケース内でスペースの形状に合わせて曲げて収納できるので、狭い空間内に配置することができる。
【００１１】
本発明において、前記回路基板は、ガラス−エポキシ基板などといった剛性基板である。
【００１２】
本発明において、前記第２のＦＰＣ基板は、例えば、前記第１のＦＰＣ基板の側端縁にその端部が接続される。第１のＦＰＣ基板は通常、側端縁が概ねストレートであり、かつ、ここに回路基板を配置したい場合が多い。しかるに本発明によれば、この側端縁に回路基板実装用の凸部を設ける必要がないので、第１のＦＰＣ基板の大判のＦＰＣ基板からの取り数を減らさないという効果が大きい。
【００１３】
本発明において、前記回路基板は、細長く延びた略矩形の平面形状を有し、前記第２のＦＰＣ基板は、前記回路基板の短辺方向の幅寸法より広い幅寸法をもって前記第１のＦＰＣ基板に接続された接続部を有していることが好ましい。このように構成すると、第１のＦＰＣ基板と第２のＦＰＣ基板との接続部分では、端子を回路基板に合わせて狭いピッチで形成する必要がないので、第１のＦＰＣ基板と第２のＦＰＣ基板との接続を容易、かつ、効率よく行うことができる。
【００１４】
この場合、前記第２のＦＰＣ基板は、例えば、前記回路基板が実装される回路基板実装部を備え、前記回路基板実装部と前記接続部が直線的に並んだ平面形状を有している。
【００１５】
また、前記第２のＦＰＣ基板は、前記回路基板が実装される回路基板実装部を備え、前記回路基板実装部と前記接続部との間に屈曲した平面形状を備えた屈曲部を有していることが好ましい。このように構成すると、第２のＦＰＣ基板を曲げる際、折り曲げることも捩じることもでき、変形の自由度が高く、かつ、折り曲げた際、大きな負荷が第２のＦＰＣ基板に加わらない。
【００１６】
本発明において、前記第１のＦＰＣ基板は、前記被実装体の方に折り曲げられ、前記第２のＦＰＣ基板は、前記回路基板が前記第１のＦＰＣ基板の折り曲げ部分の前記被実装体側に位置するように曲げられていることが好ましい。このように構成すると、第１のＦＰＣ基板を折り曲げた際に内側にできる空間を利用して回路基板や電子部品を配置することができる。
【００１７】
本発明に係る実装構造体は、電気光学装置に用いることができる。この場合、前記被実装体は、電気光学物質を保持する電気光学装置用基板である。
【００１８】
本発明に係る電気光学装置は、携帯電話機やモバイルコンピュータなどの電子機器において表示部を構成するのに用いることができる。
【発明を実施するための最良の形態】
【００１９】
以下、図面を参照して本発明の実施の形態を説明する。
【００２０】
［実施の形態１］
（電気光学装置の全体構成）
図１は、本発明を適用した電気光学装置の断面図である。図１に示すように、本発明を適用した電気光学装置１（本発明における実装構造体）は、液晶モジュール１１０を有しており、この液晶モジュール１１０は、液晶パネル１０と、液晶パネル１０の背面側に重ねて配置された下側偏光板１１７と、液晶パネル１０の表示面側に配置された上側偏光板１１５と、バックライトユニット１２０と、液晶パネル１０に接続された第１のＦＰＣ基板２０（第１の配線基板）とを備えている。
【００２１】
第１のＦＰＣ基板２０は、ポリイミドフィルムなどの可撓性基材の両面に端子や配線パターンが形成された両面基板である。
【００２２】
バックライトユニット１２０は、液晶パネル１０の背面側に下側偏光板１１５を介して重ねて配置された導光板１２２と、この導光板１２２の側端部に向けて光を出射するＬＥＤ光源１２１と、導光板１２２の背面側に重ねて配置された反射板１０２とを備えている。
【００２３】
液晶パネル１０は、素子基板１１１(本発明における電気光学装置用基板並びに被実装体)と、この素子基板１１１に対向配置された対向基板１１２とを備え、素子基板１１１と対向基板１１２とはシール材１１３によって貼り合わされている。また、液晶パネル１０において、素子基板１１１と対向基板１１２との間でシール材１１３で区画形成された領域内には、電気光学物質としての液晶１４４が封入、保持されている。
【００２４】
液晶パネル１０は、例えば、画素スイッチング素子としてＴＦＤ（薄膜ダイオード／Ｔｈｉｎ  Ｆｉｌｍ  Ｄｉｏｄｅ）素子を用いたアクティブマトリクス型液晶パネルである。この種の液晶パネル１０として周知のものを用いることができるので、その詳細な説明は省略するが、素子基板１１１、および対向基板１１２の互いに対向する面側には、画素電極、画素スイッチング用のＴＦＤ素子、データ線、走査線、カラーフィルタなどが形成されている。
【００２５】
また、液晶パネル１０において、シール材１１３は、導電性を有する多数の導通粒子を含んでおり、素子基板１１１および対向基板１１２の各々に形成された配線パターン同士を基板間導通させる機能を備えている。このため、本形態では、素子基板１１１において、シール材１１３の外周縁から一方の側に張り出した張り出し領域１１７に対してのみ駆動用ＩＣ９が実装され、かつ、張り出し領域１１７の端部のみに第１のＦＰＣ基板２０が接続されている。従って、第１のＦＰＣ基板２０を介して駆動用ＩＣ９に信号供給や電源供給を行えば、駆動用ＩＣ９からデータ信号や走査信号が出力されるので、液晶１１４の配向状態を画素毎に制御することができる。それ故、バックライトユニット１２０から出射された光を変調して透過モードでの表示を行うとともに、素子基板１１１の側から入射した外光を変調して反射モードでの表示を行うことができる。
【００２６】
本形態では、第１のＦＰＣ基板２０において、素子基板１１１に接続される端子２１が形成されている側を裏面２０２(一方面)とし、その反対側を表面２０１（他方面）としたとき、第１のＦＰＣ基板２０は、表面２０１の側に折り曲げられて、その自由端側２０９は、液晶パネル１０の方に向いている。また、本形態では、以下に詳述するように、第１のＦＰＣ基板２０の折り曲げ部分２００の内側（素子基板１１１が配置されている側）に回路基板３０が位置しており、この回路基板３０には、電源ＩＣやコントロールＩＣなどの電子部品５が実装されている。
【００２７】
（電子部品の搭載構造）
図２（Ａ）、（Ｂ）は、本発明の実施の形態１に係る電気光学装置１で用いた実装構造の説明図である。なお、図２（Ａ）、（Ｂ）は、図１とは上下反対になっており、第１のＦＰＣ基板２０の表面側が上向きに表してある。なお、第１のＦＰＣ基板２０の表面２０１および裏面２０２には、多数の端子や配線パターンが形成され、かつ、必要に応じてＬＥＤ光源１２１などが実装されているが、図２（Ａ）、（Ｂ）には省略してある。
【００２８】
図２（Ａ）、（Ｂ）に示すように、第１のＦＰＣ基板２０の裏面２０２の側には、一方の端部（自由端側２０９）に外部との接続が行われる端子２２が形成され、他方側の端部には、異方性導電材などによって素子基板１１１との接続が行われる端子２１が形成されている。また、第１のＦＰＣ基板２０の裏面２０２には、その側端縁２０３に沿うように複数の端子２８が形成されている。
【００２９】
本形態では、電源ＩＣやコントロールＩＣなどの電子部品５を第１のＦＰＣ基板２０を介して電気的に接続するために、電子部品５は、まず、ハンダによりガラス−エポキシ基板などの剛性基板からなる細長い矩形の回路基板３０の表面３０１に実装されている。
【００３０】
また、回路基板３０を第１のＦＰＣ基板２０に接続するにあたって、本形態では、第２のＦＰＣ基板４０（第２の配線基板）が用いられている。この第２のＦＰＣ基板４０は、回路基板３０が平面的に重なるように実装される細長く延びた回路基板実装部４１と、この回路基板実装部４１の幅寸法Ｗ１より広い幅寸法Ｗ２をもって第２のＦＰＣ基板２０に接続される矩形の接続部４２とを有しており、接続部４２と回路基板実装部４１とは直線的に並んでいる。
【００３１】
第２のＦＰＣ基板４０の表面４０１において、回路基板実装部４１には、回路基板３０の裏面に形成された端子（図示せず）とハンダにより接続された端子４６が回路基板実装部４１の長手方向に配列され、接続部４２には、第１のＦＰＣ基板２３０の端子２８に接続された端子４８が接続部４２の幅方向Ｗ（第１のＦＰＣ基板２０の側端縁２０３に沿って配列されている。ここで、端子４６、４８は、いずれも第２のＦＰＣ基板４０の表面４０１に形成されているので、第２のＦＰＣ基板４０は、ポリイミドフィルムなどの可撓性基材の表面４０１のみに端子４６、４８や配線パターンが形成された片面基板である。
【００３２】
（電気光学装置１の製造方法）
このような構成の電気光学装置１を製造するには、まず、単品の回路基板３０を多数取りできる大判の回路基板に対してクリームハンダを印刷した後、電子部品５をマウントし、次に、リフロー炉に通す。そして、大判の回路基板を切断して単品の回路基板３０を得る。次に、回路基板３０を第２のＦＰＣ基板４０に異方性導電材などで実装した後、この第２のＦＰＣ基板４０を第１のＦＰＣ基板２０に異方性導電材などで実装する。しかる後には、第１のＦＰＣ基板１０を液晶パネル１０に異方性導電材などで実装する。なお、回路基板３０と第２のＦＰＣ基板との接続工程、第１のＦＰＣ基板２０と第２のＦＰＣ基板４０との接続工程、および第１のＦＰＣ基板２０と液晶パネル１０との接続工程の順序は、入換えてもよい。
【００３３】
このようにして第１のＦＰＣ基板２０と第２のＦＰＣ基板４０とを端子２８、４８を介して接続すると、第２のＦＰＣ基板４０は、第１のＦＰＣ基板２０の側端縁２０３から側方に突き出た状態となる。従って、図１に示すように、第１のＦＰＣ基板２０を矢印Ｒで示す方向に折り曲げる際、第２のＦＰＣ基板４０を、例えば１８０°程度、折り曲げるだけで、回路基板３０を第１のＦＰＣ基板２０の折り曲げ部分２００の内側に配置することができる。また、第２のＦＰＣ基板４０を捩じって、回路基板３０を第１のＦＰＣ基板２０の折り曲げ部分２００の内側に配置すれば、電子部品５を液晶パネル１０の方に向けて配置できる。
【００３４】
さらに、第２のＦＰＣ基板４０を例えば約９０°程度、折り曲げれば、回路基板３０を第１のＦＰＣ基板２０の折り曲げ部分２００の内側のうち、液晶パネル１０の側面に沿う方向に回路基板３０を向かせることができる。
【００３５】
また、この状態で、電子部品５および回路基板３０は、第２のＦＰＣ基板４０および第１のＦＰＣ基板２０を介して素子基板１１１に電気的に接続されているので、電子部品５から素子基板１１１に実装された駆動用ＩＣ９に電源や信号の供給が可能である。
【００３６】
（本形態の主な効果）
以上説明したように、本形態では、複数の電子部品５を回路基板３０にまとめて実装しており、回路基板３０に対する電子部品５の実装であれば、ハンダリフロー方式など、効率のよい実装方法を適用できる。このため、第１のＦＰＣ基板２０には、必要最小限の電子部品を実装すればよいので、実装工程における作業効率が高い。
【００３７】
また、電子部品５が回路基板３０上に集約されているので、第１のＦＰＣ基板２０を接続した液晶パネル１０、あるいは電気光学装置１（液晶モジュール１１０）をケース内に組み込む際、回路基板３０を収納する箇所に電子部品５をまとめて収納できるので、ケース内の様々な箇所に電子部品５を収納する場合と比較してデッドスペースが狭く済む。
【００３８】
また、回路基板３０が実装された第２のＦＰＣ基板４０を第１のＦＰＣ基板２０に接続するため、第２のＦＰＣ基板４０を曲げることにより、第１のＦＰＣ基板２０を折り曲げた際に内側にできる空間を利用して回路基板３０や電子部品５を配置することができる。
【００３９】
しかも、第２のＦＰＣ基板４０はあくまで中継用および変形用であり、第１のＦＰＣ基板１０との接続、および回路基板３０の実装のいずれをも表面４０１の側で行う。このため、第２のＦＰＣ基板４０については安価な片面基板で済むという利点がある。
【００４０】
さらに、第１のＦＰＣ基板２０に回路基板３０を実装するための凸部を形成した場合と違って、第１のＦＰＣ基板２０に側方に張り出す凸部がない。従って、第１のＦＰＣ基板２０を製造する際、大判のＦＰＣ基板からの取り数が多いので、第１のＦＰＣ基板２０として両面基板を用いた場合でも、第１のＦＰＣ基板２０は安価である。
【００４１】
さらにまた、回路基板３０は、細長く延びた略矩形の平面形状を有し、第２のＦＰＣ基板４０は、回路基板実装部４１の幅寸法Ｗ１より広い幅寸法Ｗ２をもって第２のＦＰＣ基板２０に接続される接続部４２を有している。このため、第１のＦＰＣ基板２０と第２のＦＰＣ基板４０との接続部分では、端子２８、４８を狭いピッチで形成する必要がないので、第１のＦＰＣ基板２０と第２のＦＰＣ基板４０との接続を容易、かつ、効率よく行うことができる。
【００４２】
［実施の形態２］
図３（Ａ）、（Ｂ）は、本発明の実施の形態２に係る電気光学装置で用いた実装構造の説明図である。なお、第１のＦＰＣ基板２０の表面２０１および裏面２０２には、多数の端子や配線パターンが形成され、かつ、必要に応じてＬＥＤ光源１２１などが実装されているが、図３（Ａ）、（Ｂ）には省略してある。また、本形態の電気光学装置の基本的な構成は、実施の形態１と同様であるため、共通する部分については同一の符号を付して図示することにして、それらの説明を省略する。
【００４３】
図３（Ａ）、（Ｂ）に示すように、本形態でも、実施の形態１と同様、回路基板３０を第１のＦＰＣ基板２０に接続するにあたって、第２のＦＰＣ基板４０が用いられている。この第２のＦＰＣ基板４０は、回路基板３０が平面的に重なるように実装される細長く延びた回路基板実装部４１と、この回路基板実装部４１の幅寸法Ｗ１より広い幅寸法Ｗ２をもって第２のＦＰＣ基板２０に接続される矩形の接続部４２とを有している。また、第２のＦＰＣ基板４０の表面４０１において、回路基板実装部４１には、回路基板３０の裏面に形成された端子（図示せず）とハンダにより接続された端子４６が回路基板実装部４１の長手方向に配列され、接続部４２には、第１のＦＰＣ基板２３０の端子２８に接続された端子４８が接続部４２の幅方向Ｗ（第１のＦＰＣ基板２０の側端縁２０３に沿って配列されている。
【００４４】
本形態において、第２のＦＰＣ基板４０は、接続部４２と回路基板実装部４１との間に屈曲部を備えており、この屈曲部によって、第２のＦＰＣ基板４０は、例えば、略直角に屈曲している平面形状を有している。このため、第１のＦＰＣ基板２０と第２のＦＰＣ基板４０とを端子２８、４８を介して接続すると、第２のＦＰＣ基板４０は、第１のＦＰＣ基板２０の側端縁２０３から側方に突き出るが、回路基板実装部４１および回路基板３０は、第１のＦＰＣ基板２０の側端縁２０３の沿うように延びた状態となる。
【００４５】
従って、第１のＦＰＣ基板２０と第２のＦＰＣ基板４０とを端子２８、４８を介して接続した後、図１に示すように、第１のＦＰＣ基板２０を矢印Ｒで示す方向に折り曲げる際、第２のＦＰＣ基板４０を緩く捩じるだけで、回路基板３０を第１のＦＰＣ基板２０の折り曲げ部分２００の内側に配置することができる。この場合、電子部品５は、液晶パネル１０の方に向く。また、第２のＦＰＣ基板４０については、電子部品５を液晶パネル１０の方とは反対側に向かせることも、液晶パネル１０の側面に沿う方向に回路基板３０を向かせることも容易である。このように、第２のＦＰＣ基板４０が屈曲している平面形状を有していると、第２のＦＰＣ基板２０を曲げる際、折り曲げることも捩じることもでき、変形の自由度が高く、かつ、折り曲げた際、大きな負荷が第２のＦＰＣ基板２０に加わらない。なお、その他の構成や効果は、実施の形態１と同様であるため、説明を省略する。
【００４６】
［その他の実施の形態］
上記各実施携帯においては、被実装体に接続される第１の配線基板としてＦＰＣ基板を用いたが、被実装体と配線基板との接続強度に問題がなければ、第１の配線基板として剛性基板を用いても良い。また、回路基板が実装される第２の配線基板においても、その接続強度に問題がなければ剛性基板を用いても良い。
【００４７】
上記各実施形態においては、第２のＦＰＣ基板４０を第１のＦＰＣ基板２０の折り曲げ部に配置するように実装したが収納に問題がなければ、それ以外の個所、例えば、第１のＦＰＣ基板２０のみ折り曲げて、第２のＦＰＣ基板４０が電気光学装置用基板の側方に配置されるように実装しても良い。
【００４８】
上記形態は、ＴＦＤを非線形素子として用いたアクティブマトリクス型液晶装置に本発明を適用した例であるが、ＴＦＴを非線形素子として用いたアクティブマトリクス型液晶装置、あるいはパッシブマトリクス型液晶装置に本発明を適用してもよい。
【００４９】
また、液晶装置装置以外にも、エレクトロルミネッセンス表示装置、プラズマディスプレイ装置、ＦＥＤ（フィールドエミッションディスプレイ）装置、ＬＥＤ（発光ダイオード）表示装置、電気泳動表示装置、薄型のブラウン管、液晶シャッター等を用いた小型テレビ、デジタルマイクロミラーデバイス（ＤＭＤ）を用いた装置などの各種の電気光学装置に本発明を適用してもよい。
【００５０】
［電子機器への搭載例］
本発明を適用した電気光学装置は、携帯電話機やモバイルコンピュータなどといった各種の電子機器において表示部として用いることができる。
【図面の簡単な説明】
【００５１】
【図１】本発明を適用した電気光学装置の断面図である。
【図２】（Ａ）、（Ｂ）は、本発明の実施の形態１に係る電気光学装置の実装構造の説明図である。
【図３】（Ａ）、（Ｂ）は、本発明の実施の形態１に係る電気光学装置の実装構造の説明図である。
【図４】参考例に係る電気光学装置の実装構造の説明図である。
【符号の説明】
【００５２】
１  電気光学装置（実装構造体）、５  電子部品、１０  液晶パネル、１１１  素子基板（電気光学装置用基板／被実装体）、２０  第１のＦＰＣ基板（第１の配線基板）、３０  回路基板、４０  第２のＦＰＣ基板(第２の配線基板)
【図１】
2005228870.tif 000003
【図２】
2005228870.tif 000004
【図３】
2005228870.tif 000005
【図４】
2005228870.tif 000006
【手続補正書】
【提出日】平成16年3月3日(2004.3.3)
【手続補正１】
【補正対象書類名】特許請求の範囲
【補正対象項目名】全文
【補正方法】変更
【補正の内容】
【特許請求の範囲】
【請求項１】
第１の配線基板と、
該第１の配線基板が接続された被実装体と、
前記第１の配線基板に接続された第２の配線基板と、
電子部品が実装され、前記第２の配線基板に実装されて当該第２の配線基板および前記第１の配線基板を介して前記被実装体に電気的に接続された回路基板とを有し、
前記第２の配線基板は、前記第１の配線基板から張り出しており前記回路基板が実装された張り出し領域を備えていることを特徴とする実装構造体。
【請求項２】
請求項１において、前記第１の配線基板は第１のフレキシブル配線基板であり、前記第２の配線基板は第２のフレキシブル配線基板であることを特徴とする実装構造体。
【請求項３】
請求項２において、前記回路基板は、剛性基板であることを特徴とする実装構造体。
【請求項４】
請求項２または３において、前記第２のフレキシブル配線基板は、前記第１のフレキシブル配線基板の側端縁にその端部が接続されていることを特徴とする実装構造体。
【請求項５】
請求項４において、前記回路基板は、細長く延びた略矩形の平面形状を有し、
前記第２のフレキシブル配線基板は、前記回路基板の短辺方向の幅寸法より広い幅寸法をもって前記第１のフレキシブル配線基板に接続された接続部を有していることを特徴とする実装構造体。
【請求項６】
請求項５において、前記第２のフレキシブル配線基板は、前記回路基板が実装される回路基板実装部を備え、前記回路基板実装部と前記接続部が直線的に並んだ平面形状を有していることを特徴とする実装構造体。
【請求項７】
請求項５において、前記第２のフレキシブル配線基板は、前記回路基板が実装される回路基板実装部を備え、前記回路基板実装部と前記接続部との間に屈曲した平面形状を備えた屈曲部を有していることを特徴とする実装構造体。
【請求項８】
請求項４ないし７のいずれかにおいて、前記第１のフレキシブル配線基板は、前記被実装体の方に折り曲げられ、
前記第２のフレキシブル配線基板は、前記回路基板が前記第１のフレキシブル配線基板の折り曲げ部分の前記被実装体側に位置するように曲げられていることを特徴とする実装構造体。
【請求項９】
請求項１ないし８のいずれかに規定する実装構造体を備えた電気光学装置であって、前記被実装体は、電気光学物質を保持する電気光学装置用基板であることを特徴とする電気光学装置。
【請求項１０】
請求項９に規定する電気光学装置を有することを特徴とする電子機器。